(57)【要約】  【課題】  浴室内に設置される浴室室内機と、浴室外に設置され浴室室内機に熱媒体を供給する屋外ユニットとを備えたミスト機能付浴室暖房装置に関するものであり、屋外ユニットを小型化することを課題とする。  【解決手段】ミスト機能付浴室暖房装置１では、浴室室内機２に噴霧用の温水を作る機能を持たせており、筐体１２内に、ミスト用液液熱交換器１５と、絞り１６と、ミスト水用開閉弁１７とを備えている。暖房用熱交換器６とミスト用液液熱交換器１５の一次側流路が並列に接続され両者に供給される熱媒体の流れを断続する共通の熱動弁（熱媒体用開閉弁）４を備えている。【選択図】  図２
2010082015.tif 000002
【特許請求の範囲】
【請求項１】
浴室内に設置される浴室室内機と、浴室外に設置され前記浴室室内機に熱媒体を供給する屋外ユニットとを備えたミスト機能付浴室暖房装置において、
浴室室内機は前記屋外ユニットから熱媒体の供給を受けて浴室内を暖房する暖房用熱交換器と、ミスト用液液熱交換器と、ミストノズルとを備え、
前記ミスト用液液熱交換器は前記屋外ユニットから供給される熱媒体が通過する一次側流路と外部から供給される水が通過する二次側流路とを有し、前記ミストノズルはミスト用液液熱交換器の二次側流路の下流にあり、
暖房用熱交換器とミスト用液液熱交換器の一次側流路が並列に接続され両者に供給される熱媒体の流れを断続する共通の熱媒体用開閉弁を備えたことを特徴とするミスト機能付浴室暖房装置。
【請求項２】
ミスト用液液熱交換器の一次側流路の上流側又は下流側に絞りが設けられていることを特徴とする請求項１に記載のミスト機能付浴室暖房装置。
【発明の詳細な説明】
【技術分野】
【０００１】
本発明は、浴室内を暖房する暖房装置であって、湯水を霧状にして噴霧する機能を備えたミスト機能付浴室暖房装置に関するものである。
【背景技術】
【０００２】
保湿浴と称される入浴法が知られている。保湿浴は、入浴者が霧状雰囲気に入る入浴方法で、ミストサウナも保湿浴の一種である。ただしミストサウナは浴室内を高温状態に保つのに対し、保湿浴は低温状態の霧を使用する場合もある点でミストサウナよりも広い概念であると言える。
保湿浴は、ミストノズルを浴室内に設置し、高温又は常温の湯水をミストノズルから浴室内に噴霧し、入浴者がこの霧状雰囲気内に入る行為である。
保湿浴は、入浴者の心をリラックスさせる効果や、肌の潤いを高める効果かあり、心身の健康増進に役立つ。
【０００３】
従来、保湿浴は公衆用の入浴施設でのみ実施することができるものであったが、近年、家庭用の保湿浴装置が開発されている。
家庭用の保湿浴装置には、単に浴室にノズルだけを取り付けたものや、浴室暖房装置と一体となったミスト機能付浴室暖房装置がある。
【０００４】
ミスト機能付浴室暖房装置は、一般に、浴室内に設置される浴室室内機と、浴室外に設置される屋外ユニットによって構成される。
そして浴室室内機には、浴室内を暖房する暖房用熱交換器と、ミストノズルが設けられている。また屋外ユニットは屋外に設けられ、当該屋外ユニットには、湯水を加熱する熱源と、熱源で加熱された湯水を利用して間接加熱する液液熱交換器や、湯水の流れを制御する電磁弁が内蔵されている。
そして屋外ユニットによって熱媒体（水を主体とするものが多い）が加熱される。また従来技術においては、屋外ユニット内に液液熱交換器や電磁弁が設けられ、当該液液熱交換器によって温水が作られる。即ち屋外ユニットに内蔵された液液熱交換器の一次側に、燃焼装置で加熱された熱媒体を通過させ、二次側に水道水を通過させて水道水を昇温する。
ここで従来技術においては、液液熱交換器の一次側に連通する流路に、ミスト熱媒用開閉弁が設けられており、液液熱交換器の一次側に流れる熱媒体の流れを断続する構造となっている。また従来技術においては、液液熱交換器の二次側に連通する流路に、ミスト水用開閉弁が設けられており、液液熱交換器の一次側に流れるミスト用水の流れを断続する。
【０００５】
そして従来技術においては、屋外ユニットから熱媒体と昇温された水道水が浴室室内機に供給される。より具体的には、浴室室内機内の暖房用熱交換器に熱媒体が供給され、ミストノズルに昇温された水道水が供給される。
そして浴室室内機内の暖房用熱交換器によって浴室内の空気と、熱媒体が熱交換されて浴室内が暖房される。またミストノズルから昇温された水道水が霧状に噴射される。
【０００６】
【特許文献１】特開２００６−２０４３５８号公報
【発明の開示】
【発明が解決しようとする課題】
【０００７】
従来技術のミスト機能付浴室暖房装置は、屋外ユニットに液液熱交換機が内蔵されており、屋外ユニット内で噴霧用の温水を作る。そして屋外ユニット内で作られた噴霧用の温水を浴室室内機に送水し、ミストノズルから放出するものである。
この様に従来技術のミスト機能付浴室暖房装置は、屋外ユニットに液液熱交換機や電磁弁が内蔵されているから、屋外ユニットが過度に大きくなってしまうという問題点がある。
また従来技術のミスト機能付浴室暖房装置は、屋外ユニット内で作られた噴霧用の温水を浴室室内機に送水するものであるから、屋外ユニットと浴室室内機とを送水配管で接続する必要があり、配管工事が面倒である。
【０００８】
浴室室内機側に液液熱交換機、ミスト熱媒用開閉弁及びミスト水用開閉弁を配置し、浴室室内機内で噴霧用の温水を作る構成とすれば屋外ユニットを小型化することができる。しかしながら、浴室室内機は、一般に筐体が小さく、液液熱交換機や電磁弁を設置する空間を見いだすことは困難であった。
【０００９】
本発明は、従来技術の上記した問題点に注目し、開閉弁の一つを省略して、浴室室内機内に液液熱交換機と他の電磁弁を設置するレイアウトを採用し、屋外ユニットを小型化することができるミスト機能付浴室暖房装置の提供を課題とする。
【課題を解決するための手段】
【００１０】
上記した課題を解決するための請求項１に記載の発明は、
浴室内に設置される浴室室内機と、浴室外に設置され前記浴室室内機に熱媒体を供給する屋外ユニットとを備えたミスト機能付浴室暖房装置において、
浴室室内機は前記屋外ユニットから熱媒体の供給を受けて浴室内を暖房する暖房用熱交換器と、ミスト用液液熱交換器と、ミストノズルとを備え、
前記ミスト用液液熱交換器は前記屋外ユニットから供給される熱媒体が通過する一次側流路と外部から供給される水が通過する二次側流路とを有し、前記ミストノズルはミスト用液液熱交換器の二次側流路の下流にあり、
暖房用熱交換器とミスト用液液熱交換器の一次側流路が並列に接続され両者に供給される熱媒体の流れを断続する共通の熱媒体用開閉弁を備えたことを特徴とするミスト機能付浴室暖房装置である。
【００１１】
本発明のミスト機能付浴室暖房装置では、従来採用されていたミスト熱媒用開閉弁を省略した配管回路を採用し、浴室室内機側にミスト用液液熱交換器と、ミスト水用開閉弁が内蔵されており、浴室室内機側で水道水を昇温して噴霧用の温水を作る。
本発明のミスト機能付浴室暖房装置では、ミスト熱媒用開閉弁が無いから、浴室室内機側に他の配管要素を設置する空間を確保することができ、ひいては屋外ユニットを小型化することができる。
【００１２】
請求項２に記載の発明は、ミスト用液液熱交換器の一次側流路の上流側又は下流側に絞りが設けられていることを特徴とする請求項１に記載のミスト機能付浴室暖房装置である。
【００１３】
本発明のミスト機能付浴室暖房装置では、ミスト用液液熱交換器の一次側流路の上流側又は下流側に絞りが設けられているから、ミスト用液液熱交換器の一次側流路を流れる熱媒体の量が暖房用熱交換器よりも少ないものとなり、ミスト用液液熱交換器に供給される熱媒体の量が適正化される。
【発明の効果】
【００１４】
本発明のミスト機能付浴室暖房装置では、浴室室内機内に液液熱交換機を設置することができ、屋外ユニットを小型化することができる。
【発明を実施するための最良の形態】
【００１５】
以下さらに本発明の実施形態について説明する。
図１は、本発明の実施形態のミスト機能付浴室暖房装置の構成図である。
本発明の実施形態のミスト機能付浴室暖房装置１は、図１の様に浴室５の内壁に取り付けられる浴室室内機２と屋外に取り付けられる屋外ユニット３によって構成される。
【００１６】
図２は、図１のミスト機能付浴室暖房装置の配管回路図である。
本実施形態のミスト機能付浴室暖房装置１は、浴室５内を暖房する機能と、浴室５内に霧状の湯水を噴霧する機能を備えており、浴室室内機２に熱動弁（熱媒体用開閉弁）４、暖房用熱交換器６及び２個のミストノズル７を備えている。
暖房用熱交換器６は、気液熱交換器であり、屋外ユニット３から熱媒体の供給を受けて浴室内を暖房するものである。従って暖房用熱交換器６は、熱媒体を導入する熱媒導入口８と、熱媒体を排出する熱媒排出口１０を備えている。また暖房用熱交換器６の近傍には、送風機１１が設けられており、送風機１１によって浴室５内の空気を浴室室内機２の筐体１２内に取り込んで暖房用熱交換器６に接触させ、加熱した空気を筐体１２から浴室５側に排出する。
【００１７】
ミストノズルは、公知の一流体ノズルであり、図示しない孔を有し、加圧状態の湯水が供給されると、孔から湯水が霧状化されて噴霧される。
【００１８】
また本実施形態のミスト機能付浴室暖房装置１では、浴室室内機２に噴霧用の温水を作る機能を持たせている。
即ち本実施形態で採用する浴室室内機２は、筐体１２内に、ミスト用液液熱交換器１５と、絞り１６と、ミスト水用開閉弁１７とを備えている。
【００１９】
ミスト用液液熱交換器１５は、プレート式熱交換器であり、外観形状は、直方体をしている。ミスト用液液熱交換器１５内には、熱媒体が通過する一次側流路と、湯水が通過する二次側流路が形成されている。そして一次側流路に熱媒入口２０と熱媒出口２１が設けられている。
また二次側流路には湯水入口２２と湯水出口２３が設けられている。
【００２０】
ミスト水用開閉弁１７は電磁弁である。
絞り１６は固定的な絞りであってよく、ニードル弁等の可変的な絞りであってもよい。また絞りは、単に細い配管やチューブであってもよい。要するに絞り１６は、流路を故意に狭くした配管部材である。
【００２１】
屋外ユニット３は、内部に燃焼装置３０と熱交換器３１を備え、水を主体とする熱媒体を昇温するものである。また屋外ユニット３には図示しない循環ポンプが内蔵され、浴室室内機２との間で熱媒体を循環させることができる。
【００２２】
浴室室内機２の筐体１２には、熱媒体導入口３８、熱媒体排出口４０及び給水口４１が設けられている。そして熱媒体導入口３８から浴室室内機２の筐体１２内に熱媒体が導入される。また浴室室内機２の熱媒体排出口４０から筐体１２の外部に熱媒体が排出される。
【００２３】
なお、本実施形態では、図１の様に屋外ユニット３と浴室室内機２と建屋の壁３５を隔てて設置されており、浴室室内機２は、建屋の壁３５の内側であって、浴室５の内壁に取り付けられている。
また屋外ユニット３は、屋外であって建屋の壁３５の近傍に設けられている。そして図１の様に建屋の壁３５に開口３６が設けられ、屋外ユニット３と浴室室内機２とを繋ぐ２本の渡り配管５６５，６６が当該開口３６内に挿通され、浴室室内機２内の熱媒体回路と、屋外ユニット３内の熱媒体回路とを環状に接続している。
【００２４】
次に、浴室室内機２内の配管系統について説明する。
浴室室内機２内には、前記した様に暖房用熱交換器６及びミスト用液液熱交換器１５が内蔵されており、暖房用熱交換器６及びミスト用液液熱交換器１５は、熱媒導入口３８の下流側が分岐されて並列に接続されている。
即ち熱媒体の導入側に注目すると、熱媒導入口３８の下流に熱動弁（熱媒体用開閉弁）４が取り付けられ、熱動弁４の更に下流側に暖房用熱交換器６及びミスト用液液熱交換器１５が接続されている。即ち暖房用熱交換器６の熱媒導入口８と、ミスト用液液熱交換器１５の熱媒入口２０が、共に共通の熱動弁（熱媒体用開閉弁）４を介して筐体１２の熱媒導入口３８に接続されている。
また熱媒体の排出側に注目すると、暖房用熱交換器６の熱媒排出口１０と、ミスト用液液熱交換器１５の熱媒出口２１が合流して、熱媒体排出口４０に接続されている。
なお本実施形態では、熱動弁（熱媒体用開閉弁）４を、暖房用熱交換器６とミスト用液液熱交換器１５の上流側に設けたが、これらの下流側に熱動弁（熱媒体用開閉弁）４を設けてもよい。
【００２５】
そしてミスト用液液熱交換器１５の一次側流路に連通する流路に、絞り１６が設けられている。
より具体的には、ミスト用液液熱交換器１５の一次側流路に連通する流路の上流側、即ち熱媒導入口３８から分岐されてミスト用液液熱交換器１５の熱媒入口２０に至る上流側熱媒体分岐流路４５に絞り１６が設けられている。
【００２６】
またミスト用液液熱交換器１５の二次側流路には、給水口４１から供給される水道水が流れる。即ちミスト用液液熱交換器１５の湯水入口２２は筐体内給水路４６によって給水口４１に接続されている。そしてミスト用液液熱交換器１５の湯水出口２３とミスト水用開閉弁１７との間にはノズル往き流路４７が接続され、さらにミスト水用開閉弁１７に設けられた接続管４８を経て２個のミストノズル７に接続されている。
【００２７】
従って、屋外ユニット３の燃焼装置３０を稼働させ、循環ポンプを運転し、浴室室内機２内の熱動弁（熱媒体用開閉弁）４を開くと、暖房用熱交換器６を通過する流路に熱媒体が流れ、暖房用熱交換器６によって浴室５内を昇温することができる。
また本実施形態では、浴室５内を昇温するべく燃焼装置３０を稼働させ、循環ポンプを運転し、浴室室内機２内の熱動弁４を開くと、絞り１６を経てミスト用液液熱交換器１５の一次側流路にも熱媒体が流れる。そのため浴室５内を昇温させると、自動的にミスト用液液熱交換器１５が予熱される。
【００２８】
また屋外ユニット３の燃焼装置３０を稼働させ、循環ポンプを運転し、ミスト水用開閉弁１７とを開くと、浴室５内に湯の霧が噴霧される。
即ち本実施形態では、ミスト用液液熱交換器１５の一次側流路に絞り１６が設けられているものの、常時開かれた状態となっている。そのため循環ポンプを運転し、浴室室内機２内の熱動弁４を開くと、ミスト用液液熱交換器１５の一次側に高温の熱媒体が流れる。またミスト水用開閉弁１７とを開くと、ミスト用液液熱交換器１５の二次側流路が開いてミスト用液液熱交換器１５の二次側に水道水が流れる。その結果ミスト用液液熱交換器１５内で熱媒体と水道水とが熱交換され。水道水が昇温してミスト用液液熱交換器１５から排出され、ミストノズル７に流れ込む。そのためミストノズル７から湯が霧状に噴霧される。
【００２９】
なお通常を使用状態を想定すると、ミストノズル７から湯を霧状にして噴霧するのは、冬季に限られる。またミストノズル７から湯を霧状にして噴霧する際には、浴室暖房装置も合わせて使用される。さらに使用の時間的タイミングを考えると、入浴前に浴室暖房装置を起動させて浴室２内を昇温しておき、その状態で使用者が浴室に入り、さらにその後にミストノズル７から湯を噴霧すると想定される。
本実施形態のミスト機能付浴室暖房装置１では、浴室暖房装置を使用して浴室５内を昇温する段階で、ミスト用液液熱交換器１５の一次側に高温の熱媒体が流れ、ミスト用液液熱交換器１５が予熱されている。
そのため使用者が浴室５に入室後、ミストノズル７から湯を噴霧せんとしてミスト水用開閉弁１７を開くとき、ミスト用液液熱交換器１５の一次側には既に高温の熱媒体が流れており、ミスト用液液熱交換器１５の二次側に残留していた水道水は既に昇温している。従ってミストノズル７から湯を噴霧せんとしてミスト水用開閉弁１７を開くと、直ちにミストノズル７に湯が供給され、湯が霧状になって噴霧される。そのため噴霧直後から湯の霧を得ることができ、使用者は冷たい思いをすることがない。
【００３０】
次に本実施形態のミスト機能付浴室暖房装置１の実体配管レイアウトについて説明する。図３は、本実施形態のミスト機能付浴室暖房装置の浴室室内機の正面図である。図４は、図３の浴室室内機の筐体の表面側を取り除いた状態の実体配管図である。図５は、図４の状態の実体配管図を斜め方向から観察した斜視図である。
【００３１】
本実施形態で採用する浴室室内機２は、筐体１２内に暖房用熱交換器６及びミスト用液液熱交換器１５等が内蔵されており、筐体１２の下部に張り出し筐体５５が設けられ、当該張り出し筐体５５にミストノズル７が取り付けられている。
筐体１２は、樹脂その他を素材として作られたものであり、暖房用熱交換器６は、図４，５の様に筐体１２内の大部分の面積を占める。より具体的には、暖房用熱交換器６は、浴室室内機２の取付け姿勢を基準として一方に寄せられた位置に設けられている。具体的には、図面右側に寄った位置に暖房用熱交換器６が設けられている。
また筐体１２内の暖房用熱交換器６に対して反対側の辺部には、コントローラ５０が設けられている。
そしてコントローラ５０と暖房用熱交換器６の間の部位にミスト用液液熱交換器１５が設けられている。
【００３２】
ミスト用液液熱交換器１５は、前記した様にプレート式熱交換器であり、略直方体をしている。従って取付け姿勢を基準とすると、ミスト用液液熱交換器１５は、長辺Ａと短辺Ｂを有する長方形であり、長辺Ａを縦に、短辺Ｂを横にした姿勢で取り付けられている。
またミスト用液液熱交換器１５の厚さ（高さ）は、前記した短辺Ｂよりも小さい。またミスト用液液熱交換器１５の厚さ（高さ）は、暖房用熱交換器６のそれよりも薄い。従って筐体１２の前面部とミスト用液液熱交換器１５との間には隙間がある。そして本実施形態では、この隙間に絞り１６が設けられている。なお本実施形態では、絞り１６は手動ニードル弁である。
【００３３】
即ち本実施形態では、図３の様にミスト用液液熱交換器１５の４個の開口たる熱媒入口２０、熱媒出口２１、湯水入口２２、湯水出口２３は、いずれも取付け姿勢を基準として正面側に向いて開口している。
ミスト用液液熱交換器１５を単独で観察すると、ミスト用液液熱交換器１５の上に、熱媒入口２０、熱媒出口２１、湯水入口２２、湯水出口２３があるとも言える。
なお本実施形態では、取付け姿勢を基準として下側の短辺側に熱媒入口２０と湯水出口２３があり、上側の短辺側に熱媒出口２１、湯水入口２２がある。
【００３４】
本実施形態では、４個の開口の内、熱媒入口２０に絞り１６たる手動ニードル弁が直接的に接続されている。そして絞り（手動ニードル弁）１６は、前記したミスト用液液熱交換器１５の長方形形状に沿って縦置きされている。即ち絞り１６は、その長手方向軸ｘ−ｘがミスト用液液熱交換器１５の長軸Ｘ−Ｘと平行になる姿勢で配置されている。絞り（手動ニードル弁）１６の大部分は、ミスト用液液熱交換器１５の長方形の部位と重なる。本実施形態では、絞り１６の全てがミスト用液液熱交換器１５の長方形の部位と重なっているが、必ずしも全てが重なる必要はないが、絞り（手動ニードル弁）１６の８０％以上の部位がミスト用液液熱交換器１５の長方形の部位と重なることが推奨される。
【００３５】
前記した様に、ミスト用液液熱交換器１５は、厚さの薄い直方体であり、その上部（取付け姿勢を基準とすると正面側）に絞り（手動ニードル弁）１６が重なっているから、ミスト用液液熱交換器１５の正面側の空間が有効利用される。
【００３６】
また本実施形態では、ミスト水用開閉弁１７は、ミストノズル７の近傍に取り付けられている。
即ち本実施形態で採用する浴室室内機２は、筐体１２内の向かって左寄りの位置にミスト用液液熱交換器１５が内蔵されており、筐体１２の右寄りの位置の下部に張り出し筐体５５が設けられ、当該張り出し筐体５５にミスト水用開閉弁１７及びミストノズル７が配されている。
そのため前記した様にミスト水用開閉弁１７は、ミストノズル７の近傍にある。
【００３７】
具体的には、ミスト用液液熱交換器１５の下側短辺の位置に湯水出口２３が設けられており、湯水出口２３にノズル往き流路４７の基端側が接続され、筐体１２の張り出し筐体５５に配されたミスト水用開閉弁１７にノズル往き流路４７の先端側が接続されている。そしてミスト水用開閉弁１７の吐出側に、二本の接続管４８が設けられ、当該接続管４８にミストノズル７が接続されている。
ここで接続管４８の長さは、ノズル往き流路４７の長さに比べて十分に短く、具体的には、接続管４８の長さは、ノズル往き流路４７の長さの３分の１以下である。
【００３８】
前記した様に、屋外ユニット３の燃焼装置３０を稼働させ、循環ポンプを運転し、浴室室内機２内のミスト水用開閉弁１７とを開くと、浴室５内に湯の霧が噴霧されるが、本実施経形態では、噴霧された霧状の湯水に雑菌が混入している可能性が低い。
即ち本実施形態では、ミストノズル７の近傍にミスト水用開閉弁１７があり、霧の噴霧を停止している際には、ミスト水用開閉弁１７が閉止され、ミスト水用開閉弁１７を境として接続管４８とノズル往き流路４７側の間が遮断される。そのため、外部開放口たるミストノズル７の開口と接触し得る水は、接続管４８の部分だけであり、例え外部開放口たるミストノズル７の開口から雑菌が混入したとしても、ミスト水用開閉弁１７の上流側に雑菌が回り込むことはない。
そして本実施形態では、接続管４８の長さが短いから、汚染された可能性のある湯水の量は微量であり、ミストノズル７から排出される湯水に雑菌が混入している可能性は低い。
【００３９】
次に、渡り配管の部位について付言する。
図６は、本実施形態のミスト機能付浴室暖房装置で採用する屋外ユニットと換気扇ユニット及び給水接続ユニットの正面図である。図７は、本実施形態のミスト機能付浴室暖房装置で採用する換気扇ユニット及び給水接続ユニットの正面図である。図８は、図７の換気扇ユニット及び給水接続ユニットを他の角度から観察した斜視図である。図９は、図７の換気扇ユニット及び給水接続ユニットの内部を示す斜視図である。図１０は、換気扇ユニット及び給水接続ユニットの内部を示す斜視図であり、送風機を外した状態を示す。
【００４０】
前記した様に屋外ユニット３は、屋外であって建屋の壁３５の近傍に設けられており、建屋の壁３５に開口３６が設けられ、屋外ユニット３と浴室室内機２とを繋ぐ２本の渡り配管が当該開口３６内に挿通され、浴室室内機２内の熱媒体回路と、屋外ユニット３内の熱媒体回路とを環状に接続している。
本実施形態では、建屋の壁３５に設けられた開口３６は、換気口を兼ねるものであり、開口３６の外側には、換気扇ユニット６０が設けられている。また換気扇ユニット６０の近傍に給水接続ユニット６１が設けられている。
換気扇ユニット６０は、換気扇箱５９を有し、当該換気扇箱５９の内部に送風機６４が設けられたものであり、下部が換気口として開口する筐体である。
本実施形態では、換気扇箱５９の側面に配管取り出し開口が設けられている。
そして配管取り出し開口から、２本の渡り配管６５，６６と一本の給水管６７とが導出されている。なお給水管６７は、給水口４１を経て筐体内給水路４６、ミスト用液液熱交換器１５に繋がっている。
【００４１】
２本の渡り配管６５，６６と一本の給水管６７は、換気扇ユニット６０に隣接して設けられた給水接続ユニット６１に導入されている。
給水接続ユニット６１は、内部に減圧弁６８と電磁弁７０が内蔵されたものであり、給水管６７の先端に減圧弁６８が接続され、さらにその先に電磁弁７０の吐出側が接続されている。また電磁弁７０の吸い込み側には短い管又はチューブを介して接続継ぎ手が設けられ接続継ぎ手を介して上水源（水道管）に接続されている。従って電磁弁７０を開くと、減圧弁６８によって減圧された水道水が、浴室室内機２に供給される。
【００４２】
本実施形態では、換気扇ユニット６０と給水接続ユニット６１を使用して浴室室内機２と屋外ユニット３とを接続するので、施工工事が簡単である。
【００４３】
また以上説明した実施形態では、絞り１６をミスト用液液熱交換器１５の上流側に設けたが、これを下流側に設けてもよい。
【図面の簡単な説明】
【００４４】
【図１】本発明の実施形態のミスト機能付浴室暖房装置の構成図である。
【図２】図１のミスト機能付浴室暖房装置の配管回路図である。
【図３】本実施形態のミスト機能付浴室暖房装置の浴室室内機の正面図である。
【図４】図３の浴室室内機の筐体の表面側を取り除いた状態の実体配管図である。
【図５】図４の状態の実体配管図を斜め方向から観察した斜視図である。
【図６】本実施形態のミスト機能付浴室暖房装置で採用する屋外ユニットと換気扇ユニット及び給水接続ユニットの正面図である。
【図７】本実施形態のミスト機能付浴室暖房装置で採用する換気扇ユニット及び給水接続ユニットの正面図である。
【図８】図７の換気扇ユニット及び給水接続ユニットを他の角度から観察した斜視図である。
【図９】図７の換気扇ユニット及び給水接続ユニットの内部を示す斜視図である。
【図１０】換気扇ユニット及び給水接続ユニットの内部を示す斜視図であり、送風機を外した状態を示す。
【符号の説明】
【００４５】
１  ミスト機能付浴室暖房装置
２  浴室室内機
３  屋外ユニット
４  熱動弁（熱媒体用開閉弁）
５  浴室
６  暖房用熱交換器
７  ミストノズル
１５  ミスト用液液熱交換器
１６  絞り
１７  ミスト水用開閉弁
【図１】
2010082015.tif 000003
【図２】
2010082015.tif 000004
【図３】
2010082015.tif 000005
【図４】
2010082015.tif 000006
【図５】
2010082015.tif 000007
【図６】
2010082015.tif 000008
【図７】
2010082015.tif 000009
【図８】
2010082015.tif 000010
【図９】
2010082015.tif 000011
【図１０】
2010082015.tif 000012